(57)【要約】【課題】必要な情報が効率的に検索できるため、点検作業に必要な作業情報を容易に準備することができる施設維持管理システムを提供する。【解決手段】施設ＩＤに関連付けて管理されている地図情報データベース１０１、台帳情報データベース１０２と、点検情報データベース１０３と、補修情報データベース１０４と、地図情報、台帳情報、点検情報、補修情報を施設ＩＤに関連付けて検索する施設情報検索手段１１０と、施設の点検作業で必要な作業情報を、施設情報検索手段にて検索された施設ＩＤに関連づけた地図情報、台帳情報、点検情報、補修情報から作成および管理する作業情報管理手段１２０とを備えたものである。【選択図】図１
2010256947.tif 000002
【特許請求の範囲】
【請求項１】
施設ＩＤがそれぞれ設定され上記施設ＩＤの記憶されているＩＤタグがそれぞれ配設されている複数の施設を維持管理する施設維持管理システムにおいて、
上記施設の位置情報が上記位置情報に設定された地図ＩＤおよび上記施設ＩＤに関連付けて管理されている地図情報データベースと、
上記施設の属性情報が上記属性情報に設定された台帳ＩＤおよび上記施設ＩＤに関連付けて管理されている台帳情報データベースと、
上記施設の点検結果が上記点検結果に設定された点検ＩＤおよび上記施設ＩＤに関連付けて管理されている点検情報データベースと、
上記施設の補修結果が上記補修結果に設定された補修ＩＤおよび上記施設ＩＤに関連付けて管理されている補修情報データベースと、
上記地図情報、上記台帳情報、上記点検情報、上記補修情報を上記施設ＩＤに関連付けて検索する施設情報検索手段と、
上記施設の点検作業で必要な作業情報を、上記施設情報検索手段にて検索された上記施設ＩＤに関連づけた上記地図情報、上記台帳情報、上記点検情報、上記補修情報から作成および管理する作業情報管理手段とを備えたことを特徴とする施設維持管理システム。
【請求項２】
上記作業情報管理手段は、上記施設ＩＤに関連付けられた上記地図情報、上記台帳情報、上記点検情報、上記補修情報の更新日時が、上記作業情報の更新日時より新しいと、上記作業情報を更新日時の新しい上記地図情報、上記台帳情報、上記点検情報、上記補修情報に更新することを特徴とする請求項１に記載の施設維持管理システム。
【請求項３】
上記施設ＩＤの情報が付加された点検結果を上記点検情報データベースに上記施設ＩＤに基づいて登録する作業結果登録手段を備えたことを特徴とした請求項１または請求項２に記載の施設維持管理システム。
【請求項４】
上記施設情報検索手段は、上記地図情報データベース、上記台帳情報データベース、上記点検情報データベース、上記補修情報データベースから、上記施設ＩＤに関連付けた、上記位置ＩＤ、台帳ＩＤ、点検ＩＤ、補修ＩＤを抽出してインデックス情報を作成してインデックス情報データベースに格納し、上記インデックス情報に基づいて上記地図情報、上記台帳情報、上記点検情報、上記補修情報を検索することを特徴とする請求項１ないし請求項３のいずれか１項に記載の施設維持管理システム。
【請求項５】
上記ＩＤタグから読み出した上記施設ＩＤに対応する作業情報を上記作業情報管理手段から抽出して表示する作業情報表示手段を備えたことを特徴とする請求項１ないし請求項４のいずれか１項に記載の施設維持管理システム。
【請求項６】
上記地図情報データベースは、上記施設の位置情報として、上記位置ＩＤおよび施設ＩＤに関連付けて、施設名称、位置座標、表示シンボル、関連地図、更新日時などの情報が格納されていることを特徴とする請求項１ないし請求項５のいずれか１項にに記載の施設維持管理システム。
【請求項７】
上記台帳情報データベースは、上記施設の属性情報として、上記台帳ＩＤおよび施設ＩＤに関連付けて、施設名称、施設管理者、形式・数量、施工業者、関連施設、更新日時などの情報が格納されていることを特徴とする請求項１ないし請求項６のいずれか１項にに記載の施設維持管理システム。
【請求項８】
上記点検情報データベースは、上記施設の点検情報として、上記点検ＩＤおよび施設ＩＤに関連付けて、施設名称、点検日時、点検者、点検内容、点検結果、更新日時などの情報が格納されていることを特徴とする請求項１ないし請求項７のいずれか１項にに記載の施設維持管理システム。
【請求項９】
上記補修情報データベースは、上記施設の補修情報として、上記補修ＩＤおよび施設ＩＤに関連付けて、施設名称、作業日時、作業者、補修内容、補修結果、更新日時などの情報が格納されていることを特徴とした請求項１ないし請求項８のいずれか１項にに記載の施設維持管理システム。
【発明の詳細な説明】
【技術分野】
【０００１】
この発明は、複数の施設の維持管理を行うための施設維持管理システムに関するものである。
【背景技術】
【０００２】
従来の施設維持管理システムの点検作業では、事前準備として、点検対象となる施設の情報を収集するため、位置情報、台帳情報、点検情報、補修情報が管理された個別資料あるいはデータベースから必要な情報を個々に検索し、点検作業の内容に応じて点検場所を記した位置図、施設の各種情報や写真が記載された施設台帳図面、前回時の点検結果報告書、点検チェックリスト等の資料整理を行っている。そして、点検対象が道路の付属施設である照明灯・標識・反射鏡・ガードレールの場合には、膨大な数となっており、施設に関する各種資料を保管・整理するために多大な時間とコストを要している。
【０００３】
現場の点検作業では、大量の資料の中から点検対象に該当する内容を確認してから点検結果を記録しているので相当の作業時間を費やしており、１回の点検作業で確認可能な施設の数が制限されている状況である。また、時間的な制約から点検結果のデータが最新状態に更新されていないケースが多い。施設数が膨大になると、適正な周期で点検作業が実施できないため、点検で異常を発見する前に故障が発生するケースが増える傾向にある（例えば、特許文献１参照）。
【先行技術文献】
【特許文献】
【０００４】
【特許文献１】特開２００７−２０００１５号公報
【発明の概要】
【発明が解決しようとする課題】
【０００５】
従来の施設維持管理システムは、地図情報、台帳情報、点検情報、補修情報を個別のデータベースとして管理しているので、点検作業に必要な情報を収集・整理するには、施設毎に数多くの検索操作を行っており、かなりの手間と業務経験が必要に成るという問題点があった。また、現場で得られた点検結果を施設維持管理システムに登録する場合、施設情報に対応付けて登録操作を行っているので、施設の数が膨大になると操作ミスにより異なった施設の情報として登録されるという問題点があった。また、登録操作が手間である為に、必要な情報が正しく登録されないという問題点があった。
【０００６】
この発明は上記のような課題を解決するためになされたものであり、施設の維持管理において、点検作業に必要な情報を迅速に取得して、作業用のデータを最新の状態で管理することができる施設維持管理システムを提供することを目的とする。
【課題を解決するための手段】
【０００７】
この発明は、施設ＩＤがそれぞれ設定され施設ＩＤの記憶されているＩＤタグがそれぞれ配設されている複数の施設を維持管理する施設維持管理システムにおいて、
施設の位置情報が位置情報に設定された地図ＩＤおよび施設ＩＤに関連付けて管理されている地図情報データベースと、
施設の属性情報が属性情報に設定された台帳ＩＤおよび施設ＩＤに関連付けて管理されている台帳情報データベースと、
施設の点検結果が点検結果に設定された点検ＩＤおよび施設ＩＤに関連付けて管理されている点検情報データベースと、
施設の補修結果が補修結果に設定された補修ＩＤおよび施設ＩＤに関連付けて管理されている補修情報データベースと、
地図情報、台帳情報、点検情報、補修情報を施設ＩＤに関連付けて検索する施設情報検索手段と、
施設の点検作業で必要な作業情報を、施設情報検索手段にて検索された施設ＩＤに関連づけた地図情報、台帳情報、点検情報、補修情報から作成および管理する作業情報管理手段とを備えたことものである。
【発明の効果】
【０００８】
この発明の施設維持管理システムは、施設ＩＤがそれぞれ設定され施設ＩＤの記憶されているＩＤタグがそれぞれ配設されている複数の施設を維持管理する施設維持管理システムにおいて、
施設の位置情報が位置情報に設定された地図ＩＤおよび施設ＩＤに関連付けて管理されている地図情報データベースと、
施設の属性情報が属性情報に設定された台帳ＩＤおよび施設ＩＤに関連付けて管理されている台帳情報データベースと、
施設の点検結果が点検結果に設定された点検ＩＤおよび施設ＩＤに関連付けて管理されている点検情報データベースと、
施設の補修結果が補修結果に設定された補修ＩＤおよび施設ＩＤに関連付けて管理されている補修情報データベースと、
地図情報、台帳情報、点検情報、補修情報を施設ＩＤに関連付けて検索する施設情報検索手段と、
施設の点検作業で必要な作業情報を、施設情報検索手段にて検索された施設ＩＤに関連づけた地図情報、台帳情報、点検情報、補修情報から作成および管理する作業情報管理手段とを備えたので、施設ＩＤに基づいて各情報を得ることができるため、必要な情報が効率的に検索できるため、点検作業に必要な作業情報を容易に準備することができる。
【図面の簡単な説明】
【０００９】
【図１】この発明の実施の形態１の施設維持管理システムの構成を示す図である。
【図２】図１に示した施設情報検索手段の動作を説明するためのフローチャートである。
【図３】図１に示した作業情報管理手段の動作を説明するためのフローチャートである。
【図４】図１に示した作業情報表示手段の動作を説明するためのフローチャートである。
【図５】図１に示した作業結果登録手段の動作を説明するためのフローチャートである。
【図６】図１に示した地図情報データベースの構成を示す図である。
【図７】図１に示した台帳情報データベースの構成を示す図である。
【図８】図１に示した点検情報データベースの構成を示す図である。
【図９】図１に示した補修情報データベースの構成を示す図である。
【図１０】図１に示した施設データベースの構成を示す図である。
【図１１】図１に示したインデックス情報データベースの構成を示す図である。
【図１２】図１に示した作業用データベースの構成を示す図である。
【図１３】図１に示した携帯端末の表示画面の構成を示す図である。
【発明を実施するための形態】
【００１０】
実施の形態１．
以下、本願発明の実施の形態について説明する。図１はこの発明の実施の形態１における施設維持管理システムの構成を示す図、図２ないし図５は図１に示した施設維持管理システムの動作を説明するためのフローチャート、図６ないし図１２は図１に示した施設維持管理システムの各データベースの構成を示した図、図１３は図１に示した携帯端末における画面表示の例を示した図である。
【００１１】
図１において、ここで言う施設１０とは、例えば、照明灯、標識、反射鏡、ガードレール、橋梁、トンネル等が該当する。そして、各施設１０には各施設１０が固有に識別できる施設ＩＤが記録された、例えばＲＦＩＤ（Radio  Frequency  IDentificationの略）にて成るＩＤ（identifierの略）タグ３が設置されている。施設維持管理システム１は、地図情報データベース１０１、台帳情報データベース１０２、点検情報データベース１０３、および、補修情報データベース１０４にて構成されている施設データベース１００と、施設データベース１００から必要な情報を検索する施設情報検索手段１１０と、施設の点検に必要は作業情報を作成および管理する作業情報管理手段１２０と、作業情報管理手段１２０により作成された作業情報を格納する作業用データベース１０５と、点検結果データ１０６を点検情報データベース１０３に登録する作業結果登録手段１３０とを備えている。
【００１２】
地図情報データベース１０１は、例えば図６に示すように、各施設１０の位置情報として、位置情報に設定された位置ＩＤおよび施設ＩＤに関連付けられた、施設名称、位置座標、表示シンボル、関連地図、更新日時の情報にて構成されている。また、台帳情報データベース１０２は、例えば図７に示すように、各施設１０の属性情報として、属性情報に設定された台帳ＩＤおよび施設ＩＤに関連付けられた、施設名称、施設管理者、形式・数量、施工業者、関連施設、更新日時の情報にて構成されている。
【００１３】
また、点検情報データベース１０３は、例えば図８に示すように、各施設１０の点検情報として、点検情報に設定された点検ＩＤおよび施設ＩＤに関連付けられた、施設名称、点検日時、点検者、点検内容、点検結果、更新日時の情報にて構成されている。また、補修情報データベース１０４は、例えば図９に示すように、各施設１０の補修情報として、補修情報に設定された補修ＩＤおよび施設ＩＤに関連付けられた、施設名称、作業日時、作業者、補修内容、補修結果、更新日時の情報にて構成されている。
【００１４】
また、施設データベース１００は、例えば図１０に示すように、これら各地図情報データベース１０１、台帳情報データベース１０２、点検情報データベース１０３、補修情報データベース１０４から構成されている。また、インデックス情報データベース１０７は、例えば図１１に示すように、施設ＩＤに関連付けられた、位置ＩＤ、台帳ＩＤ、点検ＩＤ、補修ＩＤがそれぞれ抽出されてインディックス情報として構成されている。また、作業用データベース１０５は、作業ＩＤに関連付けて、施設ＩＤに基づいて、地図情報、台帳情報、点検情報、補修情報がそれぞれ作業情報として構成されている。
【００１５】
携帯端末２は、作業用データ２００と、点検結果データ２０１と、ＩＤタグ３から読み込んだ施設ＩＤに対応した作業画面を表示する作業情報表示手段２１０とを備えている。この携帯端末２は、例えば、ＰＤＡ、小型のタブレットＰＣ等にて構成されている。
【００１６】
次に上記のように構成された実施の形態１の施設維持管理システムの動作について説明する。まず、施設の点検作業に必要は作業情報を準備する場合、点検対象となった施設の情報を施設情報検索手段１１０が作成したインデックス情報を施設ＩＤに基づいてインデックス情報データベース１０７から検索し、その施設ＩＤに対応する地図情報データベース１０１、台帳情報データベース１０２、点検情報データベース１０３、補修情報データベース１０４の各ＩＤを検索する。次に、検索結果として得られた施設ＩＤに関連付けられた、位置ＩＤ、台帳ＩＤ、点検ＩＤ、補修ＩＤに基づいて、各情報を抽出して、作業情報管理手段１２０により最新の作業情報を作業用データベース１０５に作成する。
【００１７】
そして、点検作業を行う際に、作業用データベース１０５から作業情報を抽出して、携帯端末２の作業用データ２００として格納する。そして点検者は、携帯端末２を用いて、施設１０の作業情報から施設１０の情報を取得する。次に、携帯端末２にて、施設１０に設置されたＩＤタグ３に記録された施設ＩＤの情報を読み込む。次に、作業情報表示手段２１０により、作業用データ２００から施設ＩＤに該当する作業情報を取り出して、作業画面を表示する。次に、作業が終了すると、点検者により点検結果が施設ＩＤに関連付け入力され、携帯端末２の点検結果データ２０１に保存される。次に、携帯端末２の点検結果データ２０１は、施設維持管理システム１の点検結果データ１０６に転送される。次に、作業結果登録手段１３０により、点検結果データ１０６は施設ＩＤに基づいて、施設維持管理システム１の点検情報データベース１０３に保存される。
【００１８】
次に各手段の動作の詳細について以下に説明する。まず、施設情報検索手段１１０の動作について、図２に示すフローチャートに基づいて説明する。まず、情報を得ようとする施設１０のインデックス情報を読み込む（図２のステップＳ１１１）。次に、施設１０のインデックス情報がインディックス情報データベース１０７に存在するか否かをチェックする（図２のステップＳ１１２）。次に、インデックス情報が存在しない場合（Ｙｅｓ）は、施設１０の情報を施設データベース１００から施設ＩＤに基づいて検索する（図２のステップＳ１１３）。次に、施設ＩＤに基づいて検索された各情報の中から、地図情報データベース１０１のキー情報となる位置ＩＤと、台帳情報データベース１０２のキー情報となる台帳ＩＤと、点検情報データベース１０３のキー情報となる点検ＩＤと、補修情報データベース１０４のキー情報となる補修ＩＤを取得して、施設ＩＤと関連付けて（図２のステップＳ１１４）、施設１０のインデックス情報を作成する（図２のステップＳ１１５）。次に、インデックス情報を作成した後、または、インデックス情報が存在すると判断された場合（図２のステップＳ１１２でＮｏと判断された場合）、施設データベース１００から施設１０の情報をこのインデックス情報に基づいて取得する。
【００１９】
インデックス情報は、例えば図１１にて示すように、施設ＩＤと関連付けされた、位置ＩＤ、台帳ＩＤ、点検ＩＤ、補修ＩＤを有している。このように、施設ＩＤから位置ＩＤ、台帳ＩＤ、点検ＩＤ、補修ＩＤが抽出されるため、施設１０に対応する施設データベース１００の情報を容易に特定できるので、不要な検索時間が削減できる。一端インデックス情報が作成された後の２回目以降の検索では、既に施設１０のインデックス情報が施設ＩＤと関連付けされて作成されているので、施設データベース１００の内容を直接取得できるようになる。
【００２０】
次に、作業情報管理手段１２０の動作について、図３に示すフローチャートに基づいて説明する。まず、作業を行うための施設１０のインデックス情報に基づいて、施設データベース１００から施設１０の情報を読み込む（図３のステップＳ１２１）。次に、施設データベース１００から読み込んだ施設１０の情報の更新日時を取得する（図３のステップＳ１２２）。次に、作業用データベース１０５の更新日時を読み込む（図３のステップＳ１２３）。次に、施設データベース１００の施設の情報の更新日時と作業用データベース１０５の作業用データの更新日時とを比較し、作業用データベース１０５の作業用データの更新日時が古いか否かを判断する（図２のステップＳ１２４）。
【００２１】
次に、新しいと判断された場合（Ｎｏ）には、処理を終了する。次に、古いと判断された場合（Ｙｅｓ）は、施設データベース１００から施設１０の情報を取得する（図３のステップＳ１２５）。次に、この取得した情報に作業用データベース１０５の作業用データを更新する（図３のステップＳ１２６）。この際、作業用データベース１０５に登録される作業用データは、施設データベース１００から取得した位置情報、台帳情報、点検情報、補修情報である。施設データベース１００と作業用データベース１０５との各データの更新日時は、定期的にチェックして作業用データベース１０５の作業用データの内容を最新状態に更新する。
【００２２】
施設１０の点検作業では、同じ施設１０に対して、同じ内容の点検を繰り返して実施しており、特に前回作業結果と比較することで、作業の精度向上を図っている。施設１０に関連するデータベースの更新日時を定期的にチェックして、個々のデータベースから最新の情報を取得することで、点検作業に必要な作業用データベース１０５を手間なく最新状態で維持することができ、点検作業の品質が向上する。
【００２３】
次に、作業情報表示手段２１０の動作について、図４に示すフローチャートに基づいて説明する。まず、作業を行うための施設１０のＩＤタグ３から施設ＩＤの情報を読み込む（図４のステップＳ２１１）。次に、作業用データベース１０５から施設１０の作業データ２００を取得する（図４のステップＳ２１２）。次に、作業データ２００から施設１０の画面に表示するための画面情報を抽出する（図４のステップＳ２１３）。次に、この抽出した画面情報を携帯端末２の画面に例えば図１３に示すように表示する（図４のステップＳ２１４）。
【００２４】
表示画面は図１３に示すように、点検作業を行うための施設１０が一覧にて表示される施設一覧画面４００と、この施設一覧画面４００にて選択された施設１０に対応する、地図情報としての地図画面４０１と、台帳情報としての台帳画面４０２と、点検情報としての点検画面４０３と、補修情報としての補修画面４０４とが表示される例が考えられる。地図画面４０１には、地図と座標により施設の位置にシンボルが表示されている。また、台帳画面４０２には、台帳情報の項目と、図面・写真の画像情報が表示されている。また、点検画面４０３には、点検情報の項目と、報告書ファイルのリンクが表示されており、リンクを押すことによりファイルの内容を確認することができる。また、補修画面４０４には、補修情報の項目と、報告書ファイルのリンクが表示されており、リンクを押すことによりファイルの内容を確認することができる。このように、施設１０に対応した作業データ２００から作業に必要な画面の情報を携帯端末２の画面に迅速に表示することで、現場作業を効率化することができる。
【００２５】
次に、作業結果登録手段１３０の動作について、図５に示すフローチャートに基づいて説明する。まず、携帯端末２にある点検結果データ２０１を、施設維持管理システム１の点検結果データ１０６に転送して読み込む（図５のステップＳ１３１）。次に、読み込んだ点検結果データ１０６に付加された施設ＩＤを抽出する（図５のステップＳ１３２）。次に、施設ＩＤに基づいてインデックス情報を読み込んで、施設ＩＤに対応した点検ＩＤを取得する（図５のステップＳ１３３）。次に、施設の点検情報を取得した点検ＩＤに基づいて点検情報データベース１０３にて検索する（図５のステップＳ１３４）。次に、施設１０の点検結果データ１０６を点検情報データベース１０３に登録する（図５のステップＳ１３５）。登録する内容は、点検日、点検者、点検結果、更新日時などである。次に、点検結果データ１０６が全て登録された否かを判断する（図５のステップＳ１３６）。そして、全て登録済み（Ｙｅｓ）の場合には、処理は終了する。そして、登録が残っていると判断された（Ｎｏ）の場合には、ステップＳ１３３に戻り、上記に示した動作を繰り返す。これは、次回の点検作業に備えて、作業用データベース１０５を最新の状態に維持しておく必要があるため、点検情報データベース１０３が更新された場合には、作業情報管理手段１２０により、作業用データベース１０５の点検情報の内容が更新される。
【００２６】
上記実施の形態１の施設維持管理システムによれば、施設ＩＤと、位置情報、台帳情報、点検結果、補修情報が各データベースに関連付けられることにより、施設に関する各種情報を効率的に検索できるため、点検作業に必要な作業情報を容易に準備することができる。さらに、施設ＩＤと位置ＩＤ、台帳ＩＤ、点検ＩＤ、および、補修ＩＤとを関連付けたインデックス情報により、より一層効率的に検索できる。
【００２７】
また、作業情報管理手段により作業情報を常に新しい情報に更新することができる。また、作業情報を外部の携帯端末に保持させることにより、ＩＤタグから読み込んだ施設ＩＤに対応する地図情報、施設台帳、点検情報、補修情報を作業画面に直接呼び出して表示できるため、現場での作業を効率化することができる。また、点検結果に施設ＩＤを付加し、この施設ＩＤに基づいて点検結果を施設維持管理システムの点検情報データベースに登録するため、点検結果を漏れなく確実に登録することができる。
【００２８】
尚、上記実施の形態１においては、地図情報、施設台帳、点検情報、補修情報について示したが、施設に関する新たなデータベースが追加された場合においても、新たなデータベースのデータが施設ＩＤに関連付けられて格納されていれば、施設情報検索手段にて施設ＩＤに基づいて検索することができ、必要な情報をスムーズに検索して取得することができる。さらに、インデックス情報に施設ＩＤ以外の専門的な検索条件を付加するも可能であり、特定業者が施工した施設や、損傷度の高い施設などの目的に応じた検索操作を可能にすることもできる。
【符号の説明】
【００２９】
１  施設維持管理システム、２  携帯端末、３  ＩＤタグ、１０  施設、
１００  施設データベース、１０１  地図情報データベース、
１０２  台帳情報データベース、１０３  点検情報データベース、
１０４  補修情報データベース、１０５  作業用データベース、
１０６  点検結果データ、１０７  インデックス情報データベース、
１１０  施設情報検索手段、１２０  作業情報管理手段、１３０  作業結果登録手段、
２００  外部作業用データ、２０１  外部点検結果データ。
【図１】
2010256947.tif 000003
【図２】
2010256947.tif 000004
【図３】
2010256947.tif 000005
【図４】
2010256947.tif 000006
【図５】
2010256947.tif 000007
【図６】
2010256947.tif 000008
【図７】
2010256947.tif 000009
【図８】
2010256947.tif 000010
【図９】
2010256947.tif 000011
【図１０】
2010256947.tif 000012
【図１１】
2010256947.tif 000013
【図１２】
2010256947.tif 000014
【図１３】
2010256947.tif 000015